(57)【要約】【課題】コイル導体を分布巻き状態でステータコアに配設する場合において、出力特性、寸法精度及び組付精度、並びに組付性を向上できるステータを提供すること。【解決手段】ステータ１は、ステータコア２における複数のスロット２１に、分布巻き状態でコイル導体３を配設してなる。コイル導体３は、スロット導体部３１とコイルエンド導体部３２とを立上導体部３３によって連結して、ステータコア２の周方向Ｃを一巡する波巻状に形成してある。ステータコア２は、その全周において複数のティース２２の軸方向端面２２１より軸方向Ｌの外方へ円環状に突出させた外周突出部２３と、複数のティース２２とは別体にして、複数のティース２２を軸方向Ｌの外方に延長するよう外周突出部２３の内周に結合した複数の分割ティースブロック５とを有している。複数の立上導体部３３は、隣り合う分割ティースブロック５の間にそれぞれ配置してある。【選択図】図２
2010011569.tif 000002
【特許請求の範囲】
【請求項１】
ステータコアにおける複数のティース間に設けられた複数のスロットに、分布巻き状態でコイル導体を配設してなるステータにおいて、
上記コイル導体は、上記ステータコアの軸方向に平行な状態で上記スロット内に配置するスロット導体部と、上記ステータコアの軸方向端面の外方において該ステータコアの周方向に沿って配置するコイルエンド導体部とを、上記スロット導体部から連続して上記ティースの軸方向端面より軸方向外方へ立ち上がる立上導体部によって連結すると共に、上記スロット導体部の軸方向一方側と他方側とに交互に上記コイルエンド導体部を複数回連結して上記ステータコアの周方向を一巡する波巻状に形成してあり、
上記ステータコアは、その全周において上記複数のティースの軸方向端面より軸方向外方へ円環状に突出させた外周突出部と、上記複数のティースとは別体にして、該複数のティースを軸方向外方に延長するよう上記外周突出部の内周に結合した複数の分割ティースブロックとを有しており、
上記複数の立上導体部は、隣り合う上記分割ティースブロックの間にそれぞれ配置してあることを特徴とするステータ。
【請求項２】
請求項１において、上記外周突出部の内周には、上記複数のスロットの底部に対応する部分から軸方向外方に突出するスロット対応突出部が一体的に設けてあり、
上記複数の分割ティースブロックは、隣り合う上記スロット対応突出部の間に嵌入してあることを特徴とするステータ。
【請求項３】
請求項１又は２において、上記立上導体部のうち最も外周側に位置する最外周側立上導体部は、上記ステータコアの軸方向外方に向かうに連れて上記径方向の外周側へ拡径する傾斜形状に形成してあり、
上記スロット対応突出部の内周面は、上記最外周側立上導体部の傾斜形状に沿った傾斜面に形成してあることを特徴とするステータ。
【請求項４】
請求項２又は３において、上記外周突出部の内周側面には、隣り合う上記スロット対応突出部の間に位置する部分を径方向の外周側に陥没させた陥没凹部がそれぞれ当該外周突出部の軸方向端部まで形成してあり、
上記複数の分割ティースブロックは、隣り合う上記スロット対応突出部の間と上記陥没凹部内とに嵌入してあることを特徴とするステータ。
【請求項５】
請求項１〜４のいずれか一項において、上記ステータコアには、Ｕ相、Ｖ相及びＷ相の３相の上記コイル導体が配置してあり、
上記ステータコアにおける上記複数のスロットは、上記Ｕ相のコイル導体における上記スロット導体部を配置したＵ相のスロットと、上記Ｖ相のコイル導体における上記スロット導体部を配置したＶ相のスロットと、上記Ｗ相のコイル導体における上記スロット導体部を配置したＷ相のスロットとが、２つずつ上記ステータコアの周方向に隣接して設けてあり、
上記各相のスロット内には、上記各相のスロット導体部が径方向に並んで、それぞれ複数配置してあることを特徴とするステータ。
【発明の詳細な説明】
【技術分野】
【０００１】
本発明は、ステータコアにおける複数のスロットに、分布巻き状態でコイル導体を配設してなるステータに関する。
【背景技術】
【０００２】
自動車等に用いるモータ、ジェネレータ、モータジェネレータ等の回転電機のステータにおいては、通常、ステータコアの軸方向に平行に設けたスロット内に、直線状にコイル導体を配置し、ステータコアの軸方向端面からコイル導体の残部を突出させて、ステータを形成している。そして、ステータコアの軸方向端面から突出した部分は、コイルエンド部として、磁気回路の形成に利用されず、出力特性に影響しない無駄な部分となる。
【０００３】
例えば、特許文献１の交流電動機においては、固定子鉄心のティースの先端部及び外周部に、電磁鋼板を積層して構成された補助鉄心を追加し、回転子の長さを補助鉄心の追加分だけ長くしている。これにより、出力特性に影響しない無駄な領域としてのコイルエンド部に補助鉄心を追加して、巻線の寸法を長くすることなく、モータの発生するトルクを大きくしている。
しかしながら、特許文献１においては、固定子鉄心（ステータコア）のティース部にいわゆる集中巻き状態で電機子巻線を巻き付けて形成した固定子についての技術である。そのため、固定子鉄心のスロットに対して分布巻き状態で電機子巻線を配置する場合に、出力特性を向上させるための工夫は何らなされていない。
【０００４】
また、例えば、特許文献２の回転電機の固定子においては、固定子鉄心の内径側軸方向端部のコイル電流位相が変化する周方向位置において、鉄心に段落し部を形成している。これにより、渦電流損失に基づく大きな温度上昇を低減し、周方向に分布して生じる温度上昇の最大値を低減している。
しかしながら、特許文献２においては、渦電流損失に基づく大きな温度上昇を低減することを目的としており、ステータコアによって形成したモータ等の出力特性を改善することを目的としていない。そのため、特許文献２においても、固定子鉄心のスロットに対して分布巻き状態で電機子巻線を配置する場合に、出力特性を向上させるための工夫は何らなされていない。
【０００５】
また、例えば、特許文献３の回転電機においては、波巻き巻線をコアに配置してステータを製造する際には、平角線からなるコイル導体をスロット内に配置し易くするために、コアを各スロットにおいて分割し、この分割したコア片同士の間にコイル導体を配置して、ステータを組み付けている。
しかしながら、特許文献３においては、コアの真円度の確保が難しく、コア片の接合部分の面積が大きくなることにより、コアの透磁率が小さくなって出力特性が低下するおそれがある。
【０００６】
【特許文献１】特開２００４−１５９４７６号公報
【特許文献２】特開２００３−１９９２６７号公報
【特許文献３】特開２０００−１３９０４８号公報
【発明の開示】
【発明が解決しようとする課題】
【０００７】
本発明は、かかる従来の問題点に鑑みてなされたもので、コイル導体を分布巻き状態でステータコアに配設する場合において、出力特性、寸法精度及び組付精度、並びに組付性を向上させることができるステータを提供しようとするものである。
【課題を解決するための手段】
【０００８】
本発明は、ステータコアにおける複数のティース間に設けられた複数のスロットに、分布巻き状態でコイル導体を配設してなるステータにおいて、
上記コイル導体は、上記ステータコアの軸方向に平行な状態で上記スロット内に配置するスロット導体部と、上記ステータコアの軸方向端面の外方において該ステータコアの周方向に沿って配置するコイルエンド導体部とを、上記スロット導体部から連続して上記ティースの軸方向端面より軸方向外方へ立ち上がる立上導体部によって連結すると共に、上記スロット導体部の軸方向一方側と他方側とに交互に上記コイルエンド導体部を複数回連結して上記ステータコアの周方向を一巡する波巻状に形成してあり、
上記ステータコアは、その全周において上記複数のティースの軸方向端面より軸方向外方へ円環状に突出させた外周突出部と、上記複数のティースとは別体にして、該複数のティースを軸方向外方に延長するよう上記外周突出部の内周に結合した複数の分割ティースブロックとを有しており、
上記複数の立上導体部は、隣り合う上記分割ティースブロックの間にそれぞれ配置してあることを特徴とするステータにある（請求項１）。
【０００９】
本発明のステータにおいては、コイル導体を分布巻き状態で配設する場合のステータコアの形状に工夫を行っている。
具体的には、本発明においては、ステータコアの軸方向端面に上記外周突出部を突出させることにより、スロット導体部及び立上導体部を収容する長さに対応して、円環形状に一体化されたステータコアを形成することができる。
これにより、立上導体部も収容することができるステータコアの全長にわたって、円環形状を維持してステータコアを形成することができ、ステータコアの真円度を確保することができる。また、ステータコアにおいては、分割ティースブロックのみを分割しているため、この分割ティースブロックをステータコアに結合する際に、この結合面積が小さく、ステータコアの透磁率の悪化を抑制することができる。
【００１０】
また、ステータコアによって、スロット導体部だけでなく立上導体部も収容することができることにより、ステータとして使用する際に、磁気回路の形成領域を拡大させることができる。これにより、ステータの出力特性を向上させることができる。
また、上記のごとく、ステータコアの真円度を確保することができることにより、ステータの寸法精度及び組付精度を向上させることができる。
【００１１】
また、複数の分割ティースブロックを結合して、スロット導体部及び立上導体部を収容することができステータコアを形成することにより、ステータコアに対してコイル導体を配置する際には、コイル導体は、複数の分割ティースブロックが結合されていない状態のステータコアに対して配置することができる。そして、コイル導体を配置した後のステータコアの軸方向端面から突出する隣り合う立上導体部の間に、径方向の内周側から分割ティースブロックを挿入して、この分割ティースブロックを、ティースの軸方向端面に接合することができる。
これにより、分割ティースブロックがコイル導体の配置を行う際の障害になってしまうことを防止することができる。そのため、ステータの組付性を向上させることができる。
【００１２】
それ故、本発明によれば、コイル導体を分布巻き状態でステータコアに配設する場合において、出力特性、寸法精度及び組付精度、並びに組付性を向上させることができるステータを提供することができる。
【発明を実施するための最良の形態】
【００１３】
上述した本発明のステータにおける好ましい実施の形態につき説明する。
本発明において、上記ステータは、回転電機としてのモータ、ジェネレータ、モータジェネレータに用いるものとすることができる。
また、上記外周突出部の内周には、上記複数のスロットの底部に対応する部分から軸方向外方に突出するスロット対応突出部が一体的に設けてあり、上記複数の分割ティースブロックは、隣り合う上記スロット対応突出部の間に嵌入してあることを特徴とすることが好ましい（請求項２）。
【００１４】
この場合には、スロット対応突出部によって、ステータにおいて磁気回路を形成するためのヨーク部を、立上導体部に対する径方向の外周側へ拡大して形成することができる。
また、分割ティースブロックを、隣り合うスロット対応突出部の間に嵌入することにより、分割ティースブロックをステータコアにおけるティースの軸方向端面における正確な位置に結合させることができる。
【００１５】
また、上記立上導体部のうち最も外周側に位置する最外周側立上導体部は、上記ステータコアの軸方向外方に向かうに連れて上記径方向の外周側へ拡径する傾斜形状に形成してあり、上記スロット対応突出部の内周面は、上記最外周側立上導体部の傾斜形状に沿った傾斜面に形成してあることが好ましい（請求項３）。
この場合には、スロット対応突出部を、最外周側立上導体部の傾斜形状に沿って形成することにより、ステータにおいて磁気回路を形成するためのヨーク部を、最外周側立上導体部に対する径方向の外周側へより拡大して形成することができる。
また、上記スロット対応突出部における軸方向端面に形成する傾斜面は、略直線状の傾斜面、曲面状の傾斜面、段差状の傾斜面等の種々の面によって形成することができる。
【００１６】
また、上記外周突出部の内周側面には、隣り合う上記スロット対応突出部の間に位置する部分を径方向の外周側に陥没させた陥没凹部がそれぞれ当該外周突出部の軸方向端部まで形成してあり、上記複数の分割ティースブロックは、隣り合う上記スロット対応突出部の間と上記陥没凹部内とに嵌入してあることが好ましい（請求項４）。
この場合には、陥没凹部内に分割ティースブロックの外周側端部を嵌入することにより、ステータコアに対する分割ティースブロックの位置決めをより確実に行うことができる。
【００１７】
また、上記ステータコアには、Ｕ相、Ｖ相及びＷ相の３相の上記コイル導体が配置してあり、上記ステータコアにおける上記複数のスロットは、上記Ｕ相のコイル導体における上記スロット導体部を配置したＵ相のスロットと、上記Ｖ相のコイル導体における上記スロット導体部を配置したＶ相のスロットと、上記Ｗ相のコイル導体における上記スロット導体部を配置したＷ相のスロットとが、２つずつ上記ステータコアの周方向に隣接して設けてあり、上記各相のスロット内には、上記各相のスロット導体部が径方向に並んで、それぞれ複数配置してあることが好ましい（請求項５）。
この場合には、３相のコイル導体を有する３相回転電機用のステータについて、出力特性、寸法精度及び組付精度、並びに組付性を向上させることができる。
【実施例】
【００１８】
以下に、本発明のステータにかかる実施例につき、図面を参照して説明する。
本例のステータ１は、図１に示すごとく、ステータコア２における複数のティース２２の間に設けられたスロット２１に、分布巻き状態でコイル導体３を配設してなる。図２、図４に示すごとく、コイル導体３は、ステータコア２の軸方向Ｌに平行な状態でスロット２１内に配置するスロット導体部３１と、ステータコア２の軸方向端面２０１の外方においてステータコア２の周方向Ｃに沿って配置するコイルエンド導体部３２とを、スロット導体部３１から連続してティース２２の軸方向端面２２１から立ち上がる立上導体部３３によって連結すると共に、スロット導体部３１の軸方向一方側Ｌ１と他方側Ｌ２とに交互にコイルエンド導体部３２を複数回連結してステータコア２の周方向Ｃを一巡する波巻状に形成してある。
【００１９】
ステータコア２は、図５、図６に示すごとく、その全周において複数のティース２２の軸方向端面２２１より軸方向Ｌの外方へ円環状に突出させた外周突出部２３と、図７、図９に示すごとく、複数のティース２２とは別体にして、複数のティース２２を軸方向Ｌの外方に延長するよう外周突出部２３の内周に結合した複数の分割ティースブロック５とを有している。複数の分割ティースブロック５は、接着剤によって各ティース２２の軸方向端面２２１に接着してある。
そして、図２に示すごとく、複数の立上導体部３３は、隣り合う分割ティースブロック５の間にそれぞれ配置してある。
【００２０】
以下に、本例のステータ１につき、図１〜図１１を参照して詳説する。
図１、図３に示すごとく、本例のステータ１は、ハイブリッドカー又は電気自動車等の３相交流モータに用いるものであり、Ｕ相、Ｖ相及びＷ相の３相のコイル３Ｕ、３Ｖ、３Ｗをステータコア２に組み付けて構成してある。本例のコイル導体３は、銅材料からなる断面略四角形状の導体母材の表面に絶縁被膜を形成してなる平角線から構成してある。また、図４に示すごとく、コイル導体３は、折曲成形を行うことによって、波巻形状に形成してある。なお、図３は、ステータ１における軸方向端面２０１の外方におけるコイルエンド導体部３２の配置状態を模式的に示す図である。
【００２１】
図３に示すごとく、ステータコア２における複数のスロット２１は、Ｕ相のコイル導体３Ｕにおけるスロット導体部３１Ｕを配置したＵ相のスロット２１Ｕと、Ｖ相のコイル導体３Ｖにおけるスロット導体部３１Ｖを配置したＶ相のスロット２１Ｖと、Ｗ相のコイル導体３Ｗにおけるスロット導体部３１Ｗを配置したＷ相のスロット２１Ｗとが、２つずつステータコア２の周方向Ｃに隣接して設けてある。
図２に示すごとく、各相のコイル導体３は、互いに隣接して同相のスロット２１に配置された２本の同相のスロット導体部３１は、ステータコア２の軸方向端面２０１の外方においては、立上導体部３３としてそれぞれステータコア２の軸方向端面２０１から立ち上がった後、２本の同相のコイルエンド導体部３２としてステータコア２の軸方向に２本並ぶよう周方向Ｃに向けて形成されている。
コイル導体３は、スロット導体部３１、コイルエンド導体部３２及び立上導体部３３の各部において断面積が同じになっている。
【００２２】
図３、図５に示すごとく、ステータコア２における各相のスロット２１内には、径方向Ｒに向けて３本のスロット導体部３１が並んで配置されており、互いに隣接する２つの各相のスロット２１を合わせると、Ｕ相、Ｖ相及びＷ相の３相のコイル導体３Ｕ、３Ｖ、３Ｗが、６ターン分（６周分）配置されている。
また、ステータコア２の軸方向端面２０１の外方においては、ステータコア２の径方向Ｒに向けて、ステータコア２の軸方向Ｌに並ぶ２本の同相のコイルエンド導体部３２同士の間に、ステータコア２の軸方向Ｌに並ぶ２本の他相のコイルエンド導体部３２が配置されて、コイルエンド部３０が形成されている。図５においては、コイルエンド部３０において、ステータコア２の径方向Ｒに向けて、ステータコア２の軸方向Ｌに並ぶ２本のＵ相のコイルエンド導体部３２Ｕ同士の間に、ステータコア２の軸方向Ｌに並ぶ２本のＶ相のコイルエンド導体部３２Ｖが配置されている状態を示す。
【００２３】
図２、図５に示すごとく、ステータ１においては、互いに隣接するスロット２１内にスロット導体部３１を配置するコイル導体３が２本１組となって、ステータコア２を一巡するよう配設されている。そして、この２本１組のコイル導体３が、径方向Ｒに３セット並んで配置されている。
図３、図５に示すごとく、２本１組の各相のコイル導体３は、ステータコア２の軸方向端面２０１の外方においては、Ｕ相のコイル導体３Ｕにおいて軸方向Ｌに２本並ぶコイルエンド導体部３２Ｕと、Ｖ相のコイル導体３Ｖにおいて軸方向Ｌに２本並ぶコイルエンド導体部３２Ｖと、Ｗ相のコイル導体３Ｗにおいて軸方向Ｌに２本並ぶコイルエンド導体部３２Ｗとが、ステータコア２の周方向Ｃの各部において、３相のうちのいずれかの相のコイルエンド導体部３２と他の相のコイルエンド導体部３２とが径方向Ｒに２列に並ぶように配置してある。
【００２４】
すなわち、図３に示すごとく、ステータコア２の軸方向端面２０１の外方においては、周方向Ｃの各部において、径方向Ｒに２列に並ぶ互いに異なる相のコイルエンド導体部３２は、Ｕ相のコイル導体３Ｕにおいて軸方向Ｌに２本並ぶＵ相のコイルエンド導体部３２Ｕが径方向Ｒの外周側に配置され、Ｗ相のコイル導体３Ｗにおいて軸方向Ｌに２本並ぶＷ相のコイルエンド導体部３２Ｗが径方向Ｒの内周側に配置され、Ｖ相のコイル導体３Ｖにおいて軸方向Ｌに２本並ぶＶ相のコイルエンド導体部３２Ｖが径方向Ｒの外周側と内周側とに屈曲して配置されている。
【００２５】
そして、ステータコア２の軸方向端面２０１の外方において、ステータ１の周方向Ｃの各部位は、Ｕ相のコイルエンド導体部３２ＵとＶ相のコイルエンド導体部３２Ｖとが径方向Ｒに並ぶ部位、Ｖ相のコイルエンド導体部３２ＶとＷ相のコイルエンド導体部３２Ｗとが径方向Ｒに並ぶ部位、Ｕ相のコイルエンド導体部３２ＵとＷ相のコイルエンド導体部３２Ｗとが径方向Ｒに並ぶ部位とが形成されている。
【００２６】
また、図５に示すごとく、異なる相のコイルエンド導体部３２同士の間には、相間絶縁紙４２が配置してある。また、スロット２１内にも、スロット絶縁紙４１が配置してあり、スロット絶縁紙４１によってスロット導体部３１を外周側から包み込んだ後、その内周側に絶縁ウェッジを配置することができる。
【００２７】
図６に示すごとく、ステータコア２は、所定の厚みに形成した電磁鋼板２６を、軸方向Ｌに複数枚積層して形成してある。複数の電磁鋼板２６は接着剤を介して積層することができる。分割ティースブロック５は、ステータコア２と同様に、所定の厚みに形成した電磁鋼板を軸方向Ｌに複数枚積層して形成することができる。また、分割ティースブロック５は、軟磁性の金属粉体を圧縮成形した圧粉体から形成することもできる。
【００２８】
また、図６、図８に示すごとく、ステータコア２における外周突出部２３の内周には、複数のスロット２１の底部に対して径方向Ｒの外周側に位置する部分から軸方向Ｌの外方に突出するスロット対応突出部２４が一体的に設けてある。また、外周突出部２３の内周側面には、隣り合うスロット対応突出部２４の間に位置する部分を径方向Ｒの外周側に陥没させた陥没凹部２５がそれぞれ外周突出部２３の軸方向端部まで形成してある。
本例のステータコア２においては、スロット対応突出部２４、外周突出部２３及び陥没凹部２５は、複数のスロット２１及びティース２２を形成してなるステータコア２と一体的に形成されており、所定の厚みに形成した電磁鋼板２６の形状を軸方向Ｌに向けて適宜変更し、この形状が変化した電磁鋼板２６を複数積層することによって形成してある。
【００２９】
また、図６、図７、図９に示すごとく、本例の複数の分割ティースブロック５は、隣り合うスロット対応突出部２４の間に嵌入すると共に、その径方向Ｒの外周側端部を陥没凹部２５内に嵌入した状態で、各ティース２２の軸方向端面２２１に接着剤を介して結合される。また、分割ティースブロック５は、その外周側端部が陥没凹部２５に結合される。
分割ティースブロック５は、スロット対応突出部２４及び嵌入凹部２５の少なくとも一方に接着することもできる。
なお、図７は、ステータコア２における軸方向端面２０１を、分割ティースブロック５を配置した状態で示す図である。また、図９は、ステータコア２における分割ティースブロック５を配置した状態のティース２２の形成部位を、径方向Ｒに切断した状態で示す図である。
【００３０】
また、図５に示すごとく、ステータコア２の径方向Ｒに並ぶ複数の立上導体部３３のうち最も外周側に位置する最外周側立上導体部３３Ａは、ステータコア２の軸方向Ｌの外方に向かうに連れて径方向Ｒの外周側へ拡径する傾斜形状に形成してある。また、本例においては、ステータコア２の径方向Ｒの中間に位置する中間立上導体部３３Ｂは、最外周側立上導体部３３Ａよりも緩やかな傾斜角度で、軸方向Ｌの外方に向かうに連れて径方向Ｒの外周側へ拡径する傾斜形状に形成してある。また、ステータコア２の径方向Ｒの最も内周側に位置する立上導体部３３である最内周側立上導体部３３Ｃは、最外周側立上導体部３３Ａ及び中間立上導体部３３Ｂと同じ外周側へ傾斜して形成することができ、これらとは反対側の内周側へ傾斜させて形成することもできる（図２参照）。
【００３１】
図５、図６に示すごとく、本例の最外周側立上導体部３３Ａは、分割ティースブロック５を接合するティース２２の軸方向端面２２１の近傍から外周側へ傾斜状に屈曲させて形成してある。また、スロット対応突出部２４における軸方向端面は、最外周側立上導体部３３Ａの傾斜形状に沿った傾斜面２４１に形成してある。これにより、ステータ１において磁気回路を形成するためのヨーク部を、最外周側立上導体部３３Ａに対する径方向Ｒの外周側へより拡大して形成することができる。また、スロット対応突出部２４における軸方向端面に形成する傾斜面２４１は、種々の傾斜形状とすることができ、例えば、図１１に示すごとく、複数の電磁鋼板２６の積層部分によって、適宜段階を追って段差状に形成することもできる。
【００３２】
次に、本例のステータ１を製造する方法につき説明する。
本例のステータコア２を製造する際には、まず、断面略四角形状の平角線に折曲加工、加圧成形等を行って、波巻形状のコイル導体３を形成する。このとき、各相のコイル導体３は、互いに隣接するスロット２１内にスロット導体部３１を配置する２本１組のコイル導体３をセットとして、ステータコア２の周方向Ｃの円弧形状に倣う形状に形成することができる。
次いで、図５、図１０に示すごとく、ステータコア２の各スロット２１内にスロット絶縁紙４１を配置し、このスロット絶縁紙４１の内周側から２本１組の各相のコイル導体３のスロット導体部３１を配置する。また、このとき、２本１組のコイル導体３のコイルエンド導体部３２においては、他相のコイルエンド導体部３２との間に相間絶縁紙４２を配置して、周方向Ｃの内周側に重ねて配置する。
なお、ステータコア２にコイル導体３を配置する際には、ステータコア２においては、分割ティースブロック５が取り付いていない状態にある。
【００３３】
次いで、３相の２本１組のコイル導体３を３セット繰り返してステータコア２に配置した後、このステータコア２に対して、図２、図５に示すごとく、ステータコア２の軸方向端面２０１から突出する立上導体部３３同士の間に、径方向Ｒの内周側から分割ティースブロック５を挿入する。そして、分割ティースブロック５の外周側端部を、隣り合うスロット対応突出部２４の間及び陥没凹部２５内に嵌入し、ティース２２の軸方向端面２２１に接着剤を介して接合する。こうして、３相のコイル導体３Ｕ、３Ｖ、３Ｗを配設してなる３相回転電機用のステータ１を製造することができる。
【００３４】
本例の３相回転電機用のステータ１においては、コイル導体３を分布巻き状態で配設する場合のステータコア２の形状に工夫を行っている。
具体的には、本例においては、ステータコア２の軸方向端面２０１に上記外周突出部２３を突出させることにより、スロット導体部３１及び立上導体部３３を収容する長さに対応して、円環形状に一体化されたステータコア２を形成することができる。
これにより、立上導体部３３も収容することができるステータコア２の全長にわたって、円環形状を維持してステータコア２を形成することができ、ステータコア２の真円度を確保することができる。また、ステータコア２においては、分割ティースブロック５のみを分割しているため、この分割ティースブロック５をステータコア２に結合する際に、この結合面積が小さく、ステータコア２の透磁率の悪化を抑制することができる。
【００３５】
また、本例のステータ１において、ステータコア２によって、スロット導体部３１だけでなく立上導体部３３も収容することができることにより、ステータ１として使用する際に、磁気回路の形成領域を拡大させることができる。これにより、ステータ１の出力特性を向上させることができる。
また、上記のごとく、ステータコア２の真円度を確保することができることにより、ステータ１の寸法精度及び組付精度を向上させることができる。
【００３６】
また、複数の分割ティースブロック５を結合して、スロット導体部３１及び立上導体部３３を収容することができステータコア２を形成することにより、ステータコア２に対してコイル導体３を配置する際には、コイル導体３は、複数の分割ティースブロック５が結合されていない状態のステータコア２に対して配置することができる。そして、コイル導体３を配置した後のステータコア２の軸方向端面２０１から突出する立上導体部３３同士の間に、径方向Ｒの内周側から分割ティースブロック５を挿入して、この分割ティースブロック５を、ティース２２の軸方向端面２２１に接合することができる。
これにより、分割ティースブロック５がコイル導体３の配置を行う際の障害になってしまうことを防止することができる。そのため、ステータ１の組付性を向上させることができる。
【００３７】
それ故、本例によれば、コイル導体３を分布巻き状態でステータコア２に配設する場合において、出力特性、寸法精度及び組付精度、並びに組付性を向上させることができる３相回転電機用のステータ１を容易に製造することができる。
【図面の簡単な説明】
【００３８】
【図１】実施例における、ステータを示す斜視図。
【図２】実施例における、ステータにおけるコイルエンド部の周辺を拡大して示す斜視図。
【図３】実施例における、ステータにおける軸方向端面の外方におけるコイルエンド導体部の配置状態を模式的に示す平面図。
【図４】実施例における、ステータにおけるコイル導体の配置状態を、径方向に切断した状態で示す断面図。
【図５】実施例における、ステータにおけるコイルエンド導体部及び立上導体部の配置状態を、径方向に切断した状態で示す断面図。
【図６】実施例における、ステータコアにおける軸方向端面の周辺を示す斜視図。
【図７】実施例における、ステータコアにおける軸方向端面を、分割ティースブロックを配置した状態で示す平面図。
【図８】実施例における、ステータコアにおけるスロット及びスロット対応突出部の形成部位を、径方向に切断した状態で示す断面図。
【図９】実施例における、ステータコアにおける分割ティースブロックを配置した状態のティースの形成部位を、径方向に切断した状態で示す断面図。
【図１０】実施例における、ステータにおけるコイルエンド部の周辺を、分割ティースブロックをステータコアに配置する前の状態で拡大して示す斜視図。
【図１１】実施例における、ステータコアにおける軸方向端面の周辺を示す斜視図。
【符号の説明】
【００３９】
１  ステータ
２  ステータコア
２０１  軸方向端面
２１  スロット
２２  ティース
２３  外周突出部
２４  スロット対応突出部
２５  陥没凹部
３  コイル導体
３０  コイルエンド部
３１  スロット導体部
３２  コイルエンド導体部
３３  立上導体部
５  分割ティースブロック
Ｃ  周方向
Ｌ  軸方向
Ｒ  径方向
【図１】
2010011569.tif 000003
【図２】
2010011569.tif 000004
【図３】
2010011569.tif 000005
【図４】
2010011569.tif 000006
【図５】
2010011569.tif 000007
【図６】
2010011569.tif 000008
【図７】
2010011569.tif 000009
【図８】
2010011569.tif 000010
【図９】
2010011569.tif 000011
【図１０】
2010011569.tif 000012
【図１１】
2010011569.tif 000013